(57)【特許請求の範囲】
【請求項１】
サドル分水栓の分水栓本体の上方からボール型弁体の通水路を通過して栓体を下降させ、該栓体で防錆スリーブの上縁開口を閉塞するサドル分水栓の止水方法であって、下端に分水栓本体の上端に嵌合螺着する嵌合部を有する主胴に栓棒を回転自在に取付ける一方、先端に前記栓体としてのパッキンを取付けると共に外周面に案内溝を有する副胴を該栓棒に螺着して上下動可能とし、副胴を下降させてパッキンで防錆スリーブの上縁開口を閉塞することを特徴とするサドル分水栓の止水方法。
【請求項２】
分水栓本体の上端に、ボール型弁体の通水路を通過し防錆スリーブに着座可能な栓体を上下動可能に取付けたサドル分水栓の止水装置であって、主胴の下端に分水栓本体の上端に嵌合螺着する嵌合部を設けると共に上端に受け部を設け、Ｏリングを介して主胴上端に取付けた栓棒押さえによって栓棒を該受け部に回転自在に取り付け、外周面に案内溝を有し主胴に設けた副胴受けでその回転を規制した副胴を栓棒に螺着して上下動可能とし、副胴の先端には防錆スリーブの上端面に着座する前記栓体としてのパッキンを設けたことを特徴とするサドル分水栓の止水装置。
【発明の詳細な説明】
【０００１】
【発明の属する技術分野】
この発明は、地中に埋設される水道本管などから分岐管を取り出すためのサドル分水栓を止水する場合において、サドル分水栓が本来有する止水機構を使用しないで、地上から簡単に止水する方法およびその装置に関するものである。
【０００２】
【従来の技術】
従来の一般的なボール型弁体を有するサドル分水栓の構造を図５に示す。図において、ａは上面に分水栓本体ｂを立設可能とした載置部ｃを有する半円弧状のサドルであって、該載置部ｃに分水栓本体ｂを螺着可能とすると共に、その裏面側に給水本管（Ｐ）と密接するサドルパッキンｄを収容したものである。ｅは上記サドルａと共に給水本管（Ｐ）を下側から挟持する半円弧状のバンドであり、その左右に設けたフランジｆと上記サドルａの左右に設けたフランジｇをボルト・ナットで締結して固定するものである。ｈは給水本管に開設した分岐孔に嵌着・固定して分岐孔の周壁を防錆、防食するようにした防錆スリーブである。
【０００３】
分水栓本体ｂは、横Ｔ型の分水路を有する栓筺ｉ内にボール型弁体ｊを回転可能に内嵌した止水機構で水路を開閉するようにしたものである。この止水機構は、栓筺ｉの上面に設けた開口を通じてボールシートｋ、ボール型弁体ｊ、ボールシートｌの順に装着し、環状締付部材ｍをＯリングｎを介して上記開口に螺着し組み付けたものである。環状締付部材ｍの上面には給水本管（Ｐ）に分岐孔を穿設するための器具を挿入固定するための開口が設けてあり、通常は蓋ｏで閉塞している。ｐは上記ボール型弁体ｊに固着したステムで、工具等（図示せず）を取付けてボール型弁体ｊを回転させ弁の開閉を操作するものである。
【０００４】
サドル分水栓の下流側に漏水等が生じた場合、上記ステムｐに工具等を取り付け、サドル分水栓が有する上記止水機構によって止水する。また、サドル分水栓の下流側に別途ストップバルブを取り付け、その開閉によって止水する場合もあった。
【０００５】
【発明が解決しようとする課題】
しかしながら、止水するためには地中に埋設したサドル分水栓やストップバルブの周囲を掘削する必要がある。緊急時にはこのような掘削をしている時間的な余裕が無く、あるサドル分水栓の下流側のみを止水する必要がある場合にも、給水本管自体を止水して所要の作業を行わなければならなくなる。そのため、多くの分岐管が全て止水されてしまうといった不都合があった。
【０００６】
また、上述のようにサドル分水栓を掘削して止水作業をしようとする場合、作業空間を確保するため、サドル分水栓の周囲を大きく掘削する必要があり、多大な労力と時間を必要とするものであった。
【０００７】
本発明はこのような実情に鑑み、サドル分水栓に別途止水装置を取り付け、周囲を掘削することなく止水する方法および装置を提供するものである。
【０００８】
【課題を解決するための手段】
上記課題を解決するため、請求項１に記載の発明は、サドル分水栓の分水栓本体の上方からボール型弁体の通水路を通過して栓体を下降させ、該栓体で防錆スリーブの上縁開口を閉塞するというサドル分水栓の止水方法を採用した。
【０００９】
具体的には、下端に分水栓本体の上端に嵌合螺着する嵌合部を有する主胴に栓棒を回転自在に取付ける一方、先端にパッキンを取付けると共に外周面に案内溝を有する副胴を該栓棒に螺着して上下動可能とし、副胴を下降させてパッキンで防錆スリーブの上縁開口を閉塞するというサドル分水栓の止水方法を採用した。
【００１０】
上記サドル分水栓の止水方法は、本来給水本管に分岐孔を穿設するための分水栓本体の上面開口を利用して、上下動可能な栓体で防錆スリーブの上縁開口を直接閉塞して水路を遮断するものである。即ち、従来横方向からステムを介してボール型弁体を回転させて止水するのに対して上方向から直接防錆スリーブを閉塞するものであるから、分水栓周りを大きく掘削することなく、上方から簡単に止水できる方法を提供できるものである。
【００１１】
また、サドル分水栓の止水装置として、分水栓本体の上端に、ボール型弁体の通水路を通過し防錆スリーブに着座可能な栓体を上下動可能に取付けるという手段を採用した。
【００１２】
具体的に、主胴の下端に分水栓本体の上端に嵌合螺着する嵌合部を設けると共に上端に受け部を設け、Ｏリングを介して主胴上端に取付けた栓棒押さえによって栓棒を該受け部に回転自在に取り付け、外周面に案内溝を有し主胴に設けた副胴受けでその回転を規制した副胴を栓棒に螺着して上下動可能とし、副胴の先端には防錆スリーブの上端面に着座するパッキンを設けるという手段を採用した。
【００１３】
上記構成の止水装置は、副胴が案内溝および副胴受けで回転を規制されているので、螺合する栓棒を回転させることによって副胴は案内溝に沿って上下動することになり、副胴の先端に取り付けたパッキンによって防錆スリーブの上縁開口を閉塞して止水するという作用を奏するものである。
【００１４】
【発明の実施の形態】
以下、本発明にかかるサドル分水栓の止水方法および止水装置について、好ましい実施形態を図面に従って説明する。
図１〜図３において、１は本発明にかかる止水装置の主胴であって、全体を筒状とし、上端に下述する栓棒の受け部１ａを設けると共に、下端に分水栓本体上端の環状締付部材ｍの開口部（図５参照）に嵌合螺着するようにした嵌着部１ｂを設けたものである。２はこの嵌着部１ｂの内側に収納したガスケットで、上記環状締付部材ｍの開口部に水密に接合させるためのものである。
【００１５】
３は栓棒であって、上記主胴１の上端の受け部１ａに鍔部３ａを載置し、Ｏリング４を介して主胴１の上端に取付けた栓棒押さえ５によって軸周りに回転自在に取付けたものである。栓棒３の上端は図示しないハンドルを取付けて栓棒を回転できるようにしたハンドル受け部３ｂを設ける一方、鍔部３ａより下方は全長に渡ってネジ溝３ｃを螺設している。また６は上記主胴１内に挿通された筒状の副胴で、内周面上方には栓棒のネジ溝３ｃと螺合する螺合部６ａを設ける一方、外周面の長手方向には案内溝６ｂを設けている。ネジ溝３ｃと螺合部６ａの螺合によって、栓棒３を回転させると副胴６が上下方向に移動するのであるが、主胴１の内周面に上記案内溝６ｂに陥入する副胴受け７を設けて、副胴６が螺合部６ａを介して上下動する際の共回りを規制して副胴が直線的に上下動するようにしている。
【００１６】
副胴６の下端には鍔状のパッキン受け８を螺着し、パッキン押さえ９を介してリング状のパッキン１０を取付けている。このパッキン受け８およびパッキン１０は、分水栓本体ｂのボール型弁体ｊの通水路の径より小さい径を有し、副胴６が下降すると該通水路を通過し、給水本管に装着した防錆スリーブｈの上端にパッキン１０が着座して、防錆スリーブｈの上端開口を完全に閉塞するようにしたものである。従って、防錆スリーブｈの上端面はシート面としておくことが好ましい。
【００１７】
即ち、本止水装置の作用を図２、図３についてさらに説明すると、通常の通水時には栓棒３を回転させてパッキン１０を最上段に位置させておく（図２参照）。この状態では通水路を介して給水本管から分水栓に水が流れている。何らかの原因によって止水する必要が生じた場合、栓棒３を上端のハンドル受け部３ｂに取り付けたハンドル（図示せず）で回転させて副胴６を案内溝６ｂに従って降下させ、先端のパッキン１０をボール型弁体ｊの通水路を通過し、給水本管の分岐孔に装着した防錆スリーブｈの上端面に着座させるのである（図３参照）。かかる操作によって、防錆スリーブｈの上端開口部が完全にパッキン１０によって閉塞されて止水が完了する。
【００１８】
要するに、本発明の要旨は、分水栓本体の上端に設けた分岐孔の穿設用の開口部から栓体（本実施形態ではパッキン１０）を下降させ、防錆スリーブを直接閉塞して止水するようにしたものである。
【００１９】
本装置は、サドル分水栓の上端に取り付けるのであるが、地中に埋設する場合には図４に示すように筒状ボックス内に本装置を露出させて設置し、地上から栓棒の回転操作を容易にできるようにしておくことが好ましい。
【００２０】
【発明の効果】
以上述べたように、本発明にかかるサドル分水栓の止水方法は、サドル分水栓の分水栓本体の上方からボール型弁体の通水路を通過して栓体を下降させ、該栓体で防錆スリーブの上縁開口を閉塞するようにしたものであるから、分水栓の上方から止水作業を行うことが可能であり、分水栓の周りを大きく掘削して作業スペースを確保する必要が無くなった。従って、従来に比べ止水するための作業が削減され、作業時間も短縮し、緊急時にも容易に対応できるようになった。またそれの伴う諸経費も大きく削減することが可能となった。
【００２１】
また、従来分岐管の下流側に仕切弁を取り付け、給水管に負担がかかっていたが、本止水方法の採用によって仕切弁を取り付ける必要が無く、給水管に負担がかからず、また経済性や省施工性に優れたものとなった。
【００２２】
さらに、分水栓を個別に止水することが容易となったので、給水本管を止水する必要が無く、止水の影響を最小限にすることが可能となった。
【００２３】
一方、本発明にかかる止水装置は、分水栓の上方に設置するものであるから、止水装置部分を適宜なボックス内に露出させて埋設することによって、周囲を掘削することなく止水作業を行うことが可能となり、応急的に、また個別的に止水する際に極めて効果的なものとなった。
【００２４】
また、上記方法および装置は、栓棒を回転させるだけなので、特別な器具や技術を使うことなく誰にでも簡単に止水できる。
【図面の簡単な説明】
【図１】本発明にかかる止水装置の構成の一例を示す部分断面図である。
【図２】サドル分水栓に取り付けたときの、通水状態の部分断面図である。
【図３】サドル分水栓に取り付けたときの、止水状態の部分断面図である。
【図４】地中に埋設する場合に例を示す説明図である。
【図５】従来のサドル分水栓の一例を示す部分断面図である。
【符号の説明】
１    主胴
１ａ  受け部
３    栓棒
３ｃ  ネジ溝
４    Ｏリング
５    栓棒押さえ
６    副胴
６ａ  螺合部
６ｂ  案内溝
７    副胴受け
８    パッキン受け
１０    パッキン
ｂ    分水栓本体
ｊ    ボール型弁体
ｈ    防錆スリーブ
ｍ    環状締付部材
【図１】
0004435960.tif 000002
【図２】
0004435960.tif 000003
【図３】
0004435960.tif 000004
【図４】
0004435960.tif 000005
【図５】
0004435960.tif 000006